(57)【要約】【課題】ユニット形式の分割方立の方立目地の開き又は孕みなどを矯正又は防止すると共に、方立目地を室内側から見えないように目隠しをする分割方立用室内側アタッチメントを提供する。【解決手段】一方側分割方立８と他方側分割方立９とを組み合わせて所定の閉合断面が成される分割方立８，９に取付けられ、この分割方立８，９の室内側に形成される方立目地５を覆う分割方立用室内側アタッチメント１であって、該分割方立用室内側アタッチメント１は、一方側分割方立８の室内側壁面８ｄに取付けられる下地材と、この下地材に取付けられると共に、一方側分割方立８の室内側壁面８ｄから方立目地５を跨いで他方側分割方立９の室内側壁面９ｅを被覆する板状の室内側壁面部４ａを有する室内側カバー部材４と、を備える。【選択図】図１
2007177396.tif 000002
【特許請求の範囲】
【請求項１】
一方側分割方立と他方側分割方立とを組み合わせて所定の閉合断面が成される分割方立に取付けられ、この分割方立の室内側に形成される方立目地を覆う分割方立用室内側アタッチメントであって、
該分割方立用室内側アタッチメントは、一方側分割方立の室内側壁面に取付けられる下地材と、この下地材に取付けられると共に、一方側分割方立の室内側壁面から方立目地を跨いで他方側分割方立の室内側壁面を被覆する板状の室内側壁面部を有する室内側カバー部材と、を備えた、
ことを特徴とする分割方立用室内側アタッチメント。
【請求項２】
一方側分割方立と他方側分割方立とを組み合わせて所定の閉合断面が成される分割方立に取付けられ、この分割方立の室内側に形成される方立目地を覆う分割方立用室内側アタッチメントであって、
該分割方立用室内側アタッチメントは、一方側分割方立の室内側壁面に取付けられる第１の下地材と、この第１の下地材に対して分割方立の見付方向に係合すると共に、他方側分割方立室内側壁面に取付けられる第２の下地材と、これら第１の下地材と第２の下地材に取付けられると共に、一方側分割方立の室内側壁面から方立目地を跨いで他方側分割方立の室内側壁面を被覆する板状の室内側壁面部を有する室内側カバー部材と、を備えた、
ことを特徴とする分割方立用室内側アタッチメント。
【請求項３】
前記室内側カバー部材は、前記室内側壁面部と、この室外側壁面の両端部から一方側分割方立及び他方側分割方立の室内側壁面に向けてそれぞれ延在し、かつそれぞれの室内側壁面に当接する側壁面部と、を備えた、請求項１又は２記載の分割方立用室内側アタッチメント。
【請求項４】
前記第１の下地材は、前記方立目地内に挿入可能な突起部と、第２の下地材を分割方立の見付方向に係合可能とする少なくとも１以上の係合突起部と、前記室内側カバー部材を室内外方向に係合させる係合片と、を備え、
取付けられる分割方立の見付幅に応じて、第１の下地材と第２の下地材との係合位置を決める構成とされた、請求項２又は３記載の分割方立用室内側アタッチメント。
【発明の詳細な説明】
【技術分野】
【０００１】
本発明は、分割方立て用室内側アタッチメントに関し、詳しくは分割方立の室内側に形成される方立目地を被覆するアタッチメントに関するものである。
【背景技術】
【０００２】
従来より、店舗用のサッシやカーテンウォールにおいて、開口部にドアを設置したり、ガラス等のパネルを嵌めこんだり、目的や用途に合わせた多様な開口部の形成に対応するために、縦枠部材である方立として、平面的に見て左右に分割されたユニット形式の分割方立を用いたものがある（例えば、特許文献１参照）。
【特許文献１】特開２００３−１３８８５２号公報
【発明の開示】
【発明が解決しようとする課題】
【０００３】
しかしながら、上記左右の分割方立の室内側に形成される方立目地（合わせ目地）は、施工精度、又は形材の変形や反り等によって開き又は孕みなどが発生してしまうため、室内側から見ると、意匠的に優れるものではなかった。
そこで、本発明の主たる課題は、ユニット形式の分割方立の方立目地の開き又は孕みなどを矯正又は防止すると共に、方立目地を室内側から見えないように目隠しをする分割方立用室内側アタッチメントを提供することにある。
【課題を解決するための手段】
【０００４】
上記課題を解決した本発明は、次のとおりである。
＜請求項１記載の発明＞
請求項１記載の発明は、一方側分割方立と他方側分割方立とを組み合わせて所定の閉合断面が成される分割方立に取付けられ、この分割方立の室内側に形成される方立目地を覆う分割方立用室内側アタッチメントであって、該分割方立用室内側アタッチメントは、一方側分割方立の室内側壁面に取付けられる下地材と、この下地材に取付けられると共に、一方側分割方立の室内側壁面から方立目地を跨いで他方側分割方立の室内側壁面を被覆する板状の室内側壁面部を有する室内側カバー部材と、を備えた、ことを特徴とする分割方立用室内側アタッチメントである。
【０００５】
（作用効果）
分割方立用室内側アタッチメントは、一方側分割方立の室内側壁面に取付けられる下地材と、この下地材に取付けられると共に、一方側分割方立の室内側壁面から方立目地を跨いで他方側分割方立の室内側壁面を被覆する板状の室内側壁面部を有する室内側カバー部材と、を備えていることにより、方立目地を室内側から見えないように被覆することができ、方立目地の開き又は孕みなどを覆い隠すことができ、意匠性に優れた効果を発揮する。
また、室内側カバー部材は下地材と別部材であるので、取付けられる分割方立の見付幅に応じて室内側カバー部材を製造すれば、新規・既存を問わず、どのような分割方立にも取付けることができる。
【０００６】
＜請求項２記載の発明＞
請求項２記載の発明は、一方側分割方立と他方側分割方立とを組み合わせて所定の閉合断面が成される分割方立に取付けられ、この分割方立の室内側に形成される方立目地を覆う分割方立用室内側アタッチメントであって、該分割方立用室内側アタッチメントは、一方側分割方立の室内側壁面に取付けられる第１の下地材と、この第１の下地材に対して係合すると共に、他方側分割方立の室内側壁面に取付けられる第２の下地材と、これら第１の下地材と第２の下地材に取付けられると共に、一方側分割方立の室内側壁面から方立目地を跨いで他方側分割方立の室内側壁面を被覆する板状の室内側壁面部を有する室内側カバー部材と、を備えた、ことを特徴とする分割方立用室内側アタッチメントである。
【０００７】
（作用効果）
分割方立用室内側アタッチメントは、一方側分割方立の室内側壁面に取付けられる第１の下地材と、この第１の下地材に対して分割方立の見付方向に係合すると共に、他方側分割方立の室内側壁面に取付けられる第２の下地材と、これら第１の下地材と第２の下地材に取付けられると共に、一方側分割方立の室内側壁面から方立目地を跨いで他方側分割方立の室内側壁面を被覆する板状の室内側壁面部を有する室内側カバー部材と、を備えていることにより、方立目地を室内側から見えないように被覆することができ、方立目地の開き又は孕みなどを覆い隠すことができ、意匠性に優れた効果を発揮する。
また、室内側カバー部材は第１及び第２の下地材と別部材であるので、取付けられる分割方立の見付幅に応じて室内側カバー部材を製造すれば、新規・既存を問わず、どのような分割方立にも取付けることができる。
さらに、一方側分割方立と他方側分割方立とが第１及び第２の下地材の係合により、分割方立の見付方向の移動が規制され、方立目地の開き又は孕みなどを矯正又は防止することができる。また、第１及び第２の下地材の係合関係において、所定の遊びをもたせることにより、面内方向（見付方向）の層間変位に対応できる。
【０００８】
＜請求項３記載の発明＞
請求項３記載の発明は、前記室内側カバー部材は、前記室内側壁面部と、この室外側壁面の両端部から一方側分割方立及び他方側分割方立の室内側壁面に向けてそれぞれ延在し、かつそれぞれの室内側壁面に当接する側壁面部と、を備えた、請求項１又は２記載の分割方立用室内側アタッチメントである。
【０００９】
（作用効果）
室内側カバー部材は、室内側壁面部と、室外側壁面の両端部から一方側分割方立及び他方側分割方立の室内側壁面に向けてそれぞれ延在し、かつそれぞれの室内側壁面に当接する側壁面部とを備えていることにより、下地材を側面から視認できないように塞ぐことができる。
【００１０】
＜請求項４記載の発明＞
請求項４記載の発明は、前記第１の下地材は、前記方立目地内に挿入可能な突起部と、第２の下地材を分割方立の見付方向に係合可能とする少なくとも１以上の係合突起部と、前記室内側カバー部材を室内外方向に係合させる係合片と、を備え、取付けられる分割方立の見付幅に応じて、第１の下地材と第２の下地材との係合位置を決める構成とされた、請求項２又は３記載の分割方立用室内側アタッチメントである。
【００１１】
（作用効果）
第１の下地材は、前記方立目地内に挿入可能な突起部と、第２の下地材を分割方立の見付方向に係合可能とする少なくとも１以上の係合突起部と、前記室内側カバー部材を室内外方向に係合させる係合片と、を備え、取付けられる分割方立の見付幅に応じて、第１の下地材と第２の下地材との係合位置を決める構成とすることにより、新規・既存を問わず、どのような分割方立にもこれら下地材を取付けることができ、その結果、どのような分割方立にも分割方立用室内側アタッチメントを設置することができる。
【発明の効果】
【００１２】
本発明によれば、ユニット形式の分割方立の方立目地の開き又は孕みなどを矯正又は防止すると共に、方立目地を室内側から見えないように目隠しをすることができる等の利点がもたらされる。
【発明を実施するための最良の形態】
【００１３】
以下、本発明の実施の形態を図１乃至図３に基づき説明する。
本発明に係る分割方立用室内側アタッチメントは、一方側と他方側の分割方立を組み合わせることにより室内側に形成される方立目地を覆って、意匠的効果を向上させると共に、方立目地の開き又は孕みなどを矯正又は防止するものである。
まず、本発明に係る分割方立用室内側アタッチメントを説明する前に、以下に、分割方立の構成について説明する。
【００１４】
＜分割方立の構成＞
縦方向に配置された方立部材と、方立部材間に横架された横方向部材とにより開口部が形成され、この開口部にガラス（または透明または半透明樹脂板）Ｇが設置されたカーテンウォール（又はサッシ）の実施例を用いて分割方立を説明する。
【００１５】
図１に示すように、一方側分割方立８は、室外側部分に見付面の全幅をカバーする室外側壁面８ａと、この室外側壁８ａの端部から延在してガラス嵌合溝８ｉを形成する凹状部８ｂと、他方側分割方立９と組み合わせた状態時に中空部を形成する見込み壁面８ｃと、この見込み壁面８ｃの室内側端からＬ字状に屈曲して室内側面の略半分を分担する室内側壁面８ｄとから構成される部材で、他方側分割方立９との接合部となる室外側壁面８ａの先端内面側には段部８ｅが形成されているとともに、段部８ｅから内方側に若干離間した位置に断面略Ｌ字状の室外側係合片８ｆが形成されている。一方、室内側においては他方側分割方立９との接合部となる室内側壁面８ｄの内面側に断面略Ｌ字状の室内側係合片８ｇが形成されている。
【００１６】
他方、他方側分割方立９は、室外側部分に前記一方側分割方立８の室外側壁面８ａの段部８ｅに室内側から当接する衝合片９ａと、この衝合片９ａと対面して形成された室外側係合片９ｂと、ガラス嵌合溝９ｈを形成する凹状部９ｃと、一方側分割方立８と組み合わせた状態時に中空部を形成する見込み壁面９ｄと、この見込み壁面９ｄの室内側端からＬ字状に屈曲して室内側面の略半分を分担する室内側壁面９ｅと、この室内側壁面９ｅから延在して形成された室内側係合片９ｆとから構成される部材で、衝合片９ａと室外側係合用突条片９ｂ間には室外側タイト材１０ａが横架されているとともに、室内側係合用突条片９ｆには室内側タイト材１０ｂが取り付けられている。
【００１７】
一方側分割方立８と他方側分割方立９とを組み合わせた状態では、一方側分割方立８の室外側係合片８ｆと、他方側分割方立９の室外側係合片９ｂとが係合するとともに、一方側分割方立８の室内側係合片８ｇと他方側分割方立９の室内側係合片９ｆとが係合しながら組み合わされることにより閉合断面が構成され、一方側分割方立８と他方側分割方立９とが相互に室外側方向及び室内側方向の変位が規制されるようになっている。また同時に、一方側分割方立８の室外側壁面８ａ先端の段部８ｅに対し、他方側分割方立９の衝合片９ａが室内側から当接することにより、一方側分割方立８の室内側方向の変位及び他方側分割方立９の室外側方向の変位がそれぞれ規制されるようになっている。
【００１８】
また、室外側壁面８ａには、ビス１３により取付けられたカバー下地材１２を介して、方立カバー１１が取付けられている。
【００１９】
なお、図３に示す分割方立１８，１９は、図１に示すより分割方立８，９の見付幅が大きくなった形態であり、基本構成は一部を除き略同様であるので、詳細な説明は省略する。符号１８Ａ，１９Ａはそれぞれ縦増縁であり、１８ｄ，１９ｅはそれぞれ分割方立１８，１９の室内側壁面である。
【００２０】
＜本発明に係る分割方立用室内側アタッチメントの構成＞
本発明に係る分割方立用室内側アタッチメント１は、図２に示すように、一方側分割方立８の室内側壁面８ｄに取付けられる第１の下地材２と、この第１の下地材２に対して分割方立８，９の見付方向に係合すると共に、他方側分割方立９の室内側壁面９ｅに取付けられる第２の下地材３と、これら第１の下地材２と第２の下地材３に取付けられると共に、一方側分割方立８の室内側壁面８ｄから方立目地５を跨いで他方側分割方立９の室内側壁面９ｅを被覆する板状の室内側壁面部４ａを有する室内側カバー部材４とを備えている。
【００２１】
第１の下地材２は、一方側と他方側の分割方立８，９の室内側壁面８ｄ，９ｅに当接する板状の下地本体２ａと、方立目地５内に挿入可能で、室内側カバー部材４の設置位置を決める突起部２ｂと、室内側カバー部材４を室内外方向に係合させる係合片２ｃ，２ｃと、第２の下地材３の係合突起部３ｂと分割方立８，９の見付方向に係合する第１係合突起部２ｄ及び第２係合突起部２ｅと、を備えている。
【００２２】
下地本体２ａは、一方側と他方側の分割方立８，９の両室内側壁面８ｄ，９ｅに当接するようになっており、第２の下地材３と協働して分割方立８，９の室内外方向の移動を規制できるようになっている。また、係合片２ｃ，２ｃを境として第１係合突起部２ｄ及び第２係合突起部２ｅとは反対側の下地本体２ａの端部に、ビス６ａを止めることにより一方側分割方立８の室内側壁面８ｄに第１の下地材２を固定できるようになっている。
【００２３】
突起部２ｂは、下地本体２ａを分割方立８，９の室内側壁面８ｄ，９ｅに当接する際に、方立目地５内に挿入できるように、下地本体２ａの方立目地５側に形成されている。この突起部２ｂは、方立目地５の幅の広狭に対応できるように幅を狭くして縦方向に延在した条状であり、方立目地５と一方側分割方立８の室内側壁面８ｄとの隅部分に係止して、設置位置を決める役割を有している。
【００２４】
係合片２ｃ，２ｃは、左右で一対となった縦方向に延在した条状であり、この係合片２ｃ，２ｃにそれぞれ形成された肩部分で、室内側カバー部材４に形成された一対の係合片４ｄ，４ｄの突起部分を室内外方向に係合可能としている。
【００２５】
第１係合突起部２ｄ及び第２係合突起部２ｅは、下地本体２ａの他方側分割方立９の室内側壁面９ｅ側で、かつ分割方立８，９の見付方向の引張方向に係合可能にそれぞれ並設されており、取付ける分割方立８，９の見付幅や室内側カバー部材４の幅に合わせて、係合する第２の下地材３の係合突起部３ｂとの位置関係を調整できるようになっている。図１に示す形態では、分割方立８，９の見付幅が狭いため第２の下地材３の係合突起部３ｂは、第１係合突起部２ｄと係合している。そして、この場合、第２係合突起部２ｅと第２の下地材３の断面クランク状の下地本体３ａの段部との間に見付方向に所定の遊びを持たせるように間隔が決められており、面内方向（見付方向）の層間変位に対応できると共に、方立目地５が狭まる方向（圧縮方向）への移動の規制にもなっている。
【００２６】
また、図３に示す形態では、分割方立８，９の見付幅が広いため第２の下地材３の係合突起部３ｂは、第２係合突起部２ｅと係合している。ここで、図３に示す形態では、第２の下地材３の係合突起部３ｂは第２係合突起部２ｅと係合しているが、第２の下地材３の係合突起部３ｂと第１係合突起部２ｄとの間に見付方向に所定の遊びを持たせて、面内方向の層間変位に対応できるように第１係合突起部２ｄと第２係合突起部２ｅとの間隔が決められている。同時に、この場合、第１係合突起部２ｄの背面が、方立目地５が狭まる方向（圧縮方向）への移動の規制にもなっている。
【００２７】
このように、第１の下地材２と第２の下地材３とが見付方向に所定の遊びをもたせて係合することにより、面内方向の層間変位に対応できると共に、分割方立８，９の見付方向の移動が規制され、方立目地５の開き又は孕みなどを矯正又は防止することができる。
【００２８】
なお、本実施の形態では、第１係合突起部２ｄ及び第２係合突起部２ｅの２箇所にのみ係合突起部が形成されているが、これに限らず、複数箇所に形成してもよい。
【００２９】
第２の下地材３は、断面クランク状の下地本体３ａと、この下地本体３ａの一方の端部に形成され、第１の下地材２の第１係合突起部２ｄ又は第２係合突起部２ｅと係合する係合突起部３ｂと、下地本体３ａの他方の端部に形成され、室内側カバー部材４の側壁面部４ｃと当接する側壁部３ｃと、を備えている。  
【００３０】
下地本体３ａは、他方側分割方立９の室内側壁面９ｅに当接する部分にビス６ｂを止めて、他方側分割方立９に第２の下地材３を固定できるようになっている。
【００３１】
係合突起部３ｂは、分割方立８，９の見付方向に第１の下地材２の第１係合突起部２ｄ又は第２係合突起部２ｅに係合し、分割方立８，９の開き（見付方向の移動）を規制できるようになっている。この係合突起部３ｂを介して第１の下地材２と第２の下地材３とが係合し、それに加えて前述したビス６ａ，６ｂの止めがなされることにより、一方側と他方側の分割方立８，９両者が一体化し、方立目地５の開きが規制されるようになる。
【００３２】
側壁部３ｃは、室内側カバー部材４の側壁面部４ｃと当接し、室内側カバー部材４の側壁面部４ｃにビス６ｃを止めることにより、第２の下地材３に室内側カバー部材４が固定されるようになる。
【００３３】
室内側カバー部材４は、一方側分割方立８の室内側壁面８ｄから方立目地５を跨いで他方側分割方立９の室内側壁面９ｅを被覆する板状の室内側壁面４ａと、この室外側壁面４ａの両端部から一方側と他方側の分割方立８，９の室内側壁面８ｄ，９ｅに向けてそれぞれ延在する側壁面部４ｂ，４ｃと、第１の下地材２の係合片２ｃ，２ｃと係合可能な一対の係合片４ｄ，４ｄと、を備えている。
【００３４】
両側壁面部４ｂ，４ｃは、その端部が一方側と他方側の分割方立８，９の室内側壁面８ｄ，９ｅにそれぞれに当接し、第１の下地材２と第２の下地材３とが側面から視認できないように塞ぐものである。この側壁面部４ｂ，４ｃの室内外方向の長さは、少なくともビス６ｃを止めることができる以上の長さであればよい。
【００３５】
係合片４ｄ，４ｄは、左右で一対となった縦方向に延在した条状であり、この係合片４ｄ，４ｄにそれぞれ形成された突起部分で、前述した第１の下地材２に形成された一対の係合片２ｃ，２ｃの肩部分に係合可能となっている。室内側カバー部材４は、この第１の下地材２の係合片２ｃ，２ｃと係合し、第２の下地材３の側壁部３ｃとビス６ｃを止めることにより、分割方立８，９と一体化できるものである。
【００３６】
室内側カバー部材４は、第１の下地材２と第２の下地材３とを取付けることができる分割方立であれば、新設又は既設のものを問わずに取付けることができる。また、分割方立８，９の見付幅に合わせて、その室内側壁面４ａの長さをいくつか設定して室内側カバー部材４を製造しておけば、例えば、図１と図３で示すように、どのような見付幅の分割方立であっても取り付けが可能である。
【００３７】
本発明に係る分割方立用室内側アタッチメント１は、ユニット形式の分割方立の方立目地の開き又は孕みなどを矯正又は防止すると共に、方立目地を室内側から見えないように被覆するものであるが、方立目地５を室内側から見えないように被覆するだけであれば、第２の下地材３は必要とせず、第１の下地材２と室内側カバー部材４だけでよい。この場合、室内側カバー部材４の固定は第１の下地材２との係合関係だけになるが、第１の下地材２に室内側カバー部材４の側壁面部４ｂに当接する側壁部（図示せず）を設け、ここを室内側カバー部材４からビス止めすることによってより一体性を増すことができる。
【００３８】
＜本発明に係る分割方立用室内側アタッチメントの取付方法＞
まず、一方側と他方側の分割方立８，９を組み合わせることにより室内側に形成される方立目地５に対して、第１の下地材２の突起部２ｂを挿入し、方立目地５と一方側分割方立８の室内側壁面８ｄとの隅部分に係止する。この状態で、下地本体２ａの端部に数箇所ビス６ａを止めて一方側分割方立８に固定する。
【００３９】
次に、取付ける室内側カバー部材４の幅に応じて、第２の下地材３の係合突起部３ｂを第１の下地材２の第１係合突起部２ｄ又は第２係合突起部２ｅに引っ掛ける。この状態で、第２の下地材３の下地本体３ａに数箇所ビス６ｂを止めて他方側分割方立９の室内側壁面９ｅに固定する。
【００４０】
次に、分割方立８，９の見付幅に応じた室内側カバー部材４の係合片４ｄ，４ｄを、第１の下地材２に形成された一対の係合片２ｃ，２ｃの肩部分に係合させ、そして、第２の下地材３の側壁部３ｃと数箇所ビス６ｃを止めることにより、分割方立８，９と一体化させればよい。
【図面の簡単な説明】
【００４１】
【図１】本発明に係る分割方立用室内側アタッチメントを取付けた分割方立の一実施形態の横断面図である。
【図２】分割方立用室内側アタッチメントの拡大横断面図である。
【図３】分割方立用室内側アタッチメントを取付けた分割方立の他の実施形態の横断面図である。
【符号の説明】
【００４２】
１…分割方立用室内側アタッチメント、２…第１の下地材、２ａ…下地本体、２ｂ…突起部、２ｃ…係合片、２ｄ…第１係合突起部、２ｅ…第２係合突起部、３…第２の下地材、３ａ…下地本体、３ｂ…係合突起部、３ｃ…側壁部、４…室内側カバー部材、４ａ…室内側壁面部、４ｂ，４ｃ…側壁面部、４ｄ…係合片、５…方立目地、６ａ，６ｂ，６ｃ…ビス、８，９…分割方立、８ｄ，９ｅ…室内側壁面、１１…方立カバー、１２…カバー下地材、１３…ビス、１８，１９…分割方立、１８Ａ，１９Ａ…縦増縁、１８ｄ，１９ｅ…室内側壁面。
【図１】
2007177396.tif 000003
【図２】
2007177396.tif 000004
【図３】
2007177396.tif 000005